(57)【要約】【課題】ホームページや店頭設置の大型画面で多数の商品をユーザーが操作無しで見られるようにする。【解決手段】インターネットを介してコンピュータ画面で表示されるホームページの画像表示方法であって、モニターに表示される１画面を複数の画像領域に分割し、各画像領域が時間差をあけて自動的に画像が表示されていくと共に、全画像が表示されると、順次各画像は別の画像に自動的に切り替わって表示され、かつ、ユーザが操作できるストップ表示とスタート表示を設け、ユーザが操作できるストップ表示とスタート表示を上記画面の隅部に設け、ストップ表示をクリックするまでは、上記自動的な切り替え表示が繰り返しなされ、ストップ表示をクリックすると自動的に切り替わる商品画像を任意に停止し、上記停止状態で表示された商品画像のうち任意の商品画像をクリックすると、商品画像の正面が表示されていた場合に表示されていなかった商品の側面、背面の画像、特徴部分が拡大された商品画像、該商品画像が動画となって回転する画像が表示される。【選択図】図１
2008210395.tif 000002
【特許請求の範囲】
【請求項１】
インターネットを介してコンピュータ画面で表示されるホームページの画像表示方法であって、
モニターに表示される１画面を複数の画像領域に分割し、各画像領域が時間差をあけて自動的に商品画像が表示されていくと共に、全商品画像が表示されると、順次各商品画像が別の商品画像に自動的に切り替わって表示され、かつ、
ユーザが操作できるストップ表示とスタート表示を上記画面の隅部に設け、ストップ表示をクリックするまでは、上記自動的な切り替え表示が繰り返しなされ、
ストップ表示をクリックすると、自動的に切り替わる商品画像を任意に停止し、
上記停止状態で、表示された商品画像のうち任意の商品画像をクリックすると、商品画像の正面が表示されていた場合に表示されていなかった商品の側面、背面の画像、特徴部分が拡大された商品画像あるいは／および該商品画像が動画となって回転する画像が表示され、かつ、
上記スタート表示をクリックすると、上記各商品画像の自動的な切り替え表示が再スタートできることを特徴とする画像表示方法。
【請求項２】
サーバと専用回線で接続され、該サーバーからユーザーのコンピュータへの送信でユーザのコンピュータ画面に表示される画像表示方法あるいは、ユーザに供給される記憶媒体を読み込んでユーザのコンピュータ画面に表示される画像表示方法であって、
モニターに表示される１画面を複数の画像領域に分割し、各画像領域が時間差をあけて自動的に商品画像が表示されていくと共に、全商品画像が表示されると、順次各商品画像が別の商品画像に自動的に切り替わって表示され、かつ、
ユーザが操作できるストップ表示とスタート表示を上記画面の隅部に設け、ストップ表示をクリックするまでは、上記自動的な切り替え表示が繰り返しなされ、
ストップ表示をクリックすると、自動的に切り替わる商品画像を任意に停止し、
上記停止状態で、表示された商品画像のうち任意の商品画像をクリックすると、商品画像の正面が表示されていた場合に表示されていなかった商品の側面、背面の画像、特徴部分が拡大された商品画像あるいは／および該商品画像が動画となって回転する画像が表示され、かつ、
上記スタート表示をクリックすると、上記各商品画像の自動的な切り替え表示が再スタートできることを特徴とする画像表示方法。
【請求項３】
上記複数の画像より構成される１画面の画像のうち５０％〜１００％が、イメージデータからなり、かつ、１画面の自動的に切り替わっていく複数の画像は同種商品群の１コンテンツとしている請求項１または請求項２に記載の画像表示方法。
【請求項４】
１画面を縦方向および横方向に分割して、１画面を碁盤目状の上記画像領域に分割している請求項１乃至請求項３のいずれか１項に記載の画像表示方法。
【発明の詳細な説明】
【技術分野】
【０００１】
本発明は画像表示方法に関し、特に、ホームペ−ジ作成者が製造販売する商品をユーザーに積極的に提示でき、かつ、映像を多くすることでユーザーに対するアピール度を高めると共に、ユーザが表示された多数の商品を視覚的に比較しながら購入出来るようにするものである。
【背景技術】
【０００２】
従来、商品販売用のホームペ−ジでは、商品の写真、価格等が表示された静止画像が表示され、ユーザーはクリックしながら画面を切り替えて、順次商品を見て行く必要があり、クリック操作なしに提供される多数の商品を比較しながら見ていくことはできない。
即ち、従来のホームペ−ジでは画面切り替え（モニタ画面の切り替え）はユーザーの操作に基づいて行われている。よって、ユーザーは画面を切り替えて他の情報を得たい時は、其の度にクリップ操作あるいはキー操作をしなければならない煩わしさがあると共に、先の画面に表示された商品と比較できにくい欠点がある。また、従来のホームページは文字情報が多く、商品の特徴をアピールしにくい問題がある。
【０００３】
そのため、近時、情報を映像として一目で簡単に認識できるようにするため、ホームペ−ジでの映像表示も増加の傾向にあり、映像表示方法も工夫されている。
例えば、特開２００２−１７５１３５号では、画面上でカタログのような印刷者をスキャンした画像を表示する際に、画像全体をまず表示し、ユーザーが選択する任意の部分を高画質の画像で表示できるようにしたホームペ−ジの画像表示方法が提案されている。
【０００４】
また、この種のホームペ−ジの作成方法に関するものとして、特開平１０−２２２５０８号でコンピュータ画面レイアウト編集方法が提案されている。この提案されている編集方法は、ホームペ−ジの作成をするために必要最小限の機能に特化し、ブラウザ上で表示状態を確認しながら容易にブラウザ上で編集できるようにするため、ホームページの作成時においてコンピュータ画面を複数のブロックに分割し、ブロック単位に文字または画像を入力し、編集している。しかしながら、分割表示された部分のデータ量が多い場合は、ユーザーがスクロールしながら読み取るようにされている。
【０００５】
【特許文献１】特開２００２−１７５１３５号公報
【０００６】
【特許文献２】特開平１０−２２２５０８号公報
【発明の開示】
【発明が解決しようとする課題】
【０００７】
前記特許文献１の映像表示方法では、ユーザーが見たい部分を操作して選択しする必要がある。また、前記特許文献２の１画面の分割表示は簡単にホームペ−ジの編集ができるようにするために画像が分割されているだけで、１コンテンツのデータ量が多い場合にはユーザーがスクロールしながら読み取る必要がり、従来と同様にユーザーの操作が必要なる。このように、従来提案されている表示方法はいずれもユーザーの操作に基づいて画面や画面の一部画像を切り替えており、ユーザーにとって操作の煩わしさは軽減されず、ホームペ−ジ作成者側にとっては見せたい画面を見てもらえない問題は解消されていない。
【０００８】
また、従来のホームページでは、１つのコンテンツの全データをインターネットを介してコンピュータの記憶装置に一括ダウンロードしてから画面表示をしている場合が多いため、コンピュータ画面上で表示されるまでのローデイング時間が長くかかる。特に、ホームページの送信データが多いと共に、インターネット回線の通信速度が遅い場合には、ユーザーは表示までに長時間待たされる問題がある。特に、１コンテンツ中に大量のデータを必要とする動画等のイメージデータを含んでいる場合は、１つのコンテンツのデータ量が膨大となり、ローデイング時間がより長くなり、その結果、ユーザーが当該ホームページを見なくなる場合も多い。これらの事情より、従来のホームペ−ジの表示は動画を含むイメージ表示は非常に少なく、文字表示が多い原因ともなっている。
【０００９】
また、メーカーから販売店への商品の紹介や、販売店における来客への商品の紹介についてもコンピュータ画面を用いた効率的な商品の紹介方法は提供されていない。
【００１０】
本発明は、上記した問題に鑑みてなされたもので、ユーザーの操作を低減でき、かつ、ホームペ−ジ作成者にとっては見せたい画面をユーザーに積極的に見せることができ、かつ、ホームペ−ジの表示に映像を多く用いて、ユーザーにとって見やすく、かつ、表示された商品を購入しやすいものとすることを課題としている。
また、メーカーから販売店に商品紹介をコンピュータ画面を用いて効率良く行えると共に、このコンピュータ画面を販売店の店頭に設置したコンピュータ画面で来客にも効率良く商品紹介が行えるようにすることを課題としている。
【課題を解決するための手段】
【００１１】
上記課題を解決するため、本発明は、第１に、インターネットを介してコンピュータ画面で表示されるホームページの画像表示方法であって、
モニターに表示される１画面を複数の画像領域に分割し、各画像領域が時間差をあけて自動的に商品画像が表示されていくと共に、全商品画像が表示されると、順次各商品画像が別の商品画像に自動的に切り替わって表示され、かつ、
ユーザが操作できるストップ表示とスタート表示を上記画面の隅部に設け、ストップ表示をクリックするまでは、上記自動的な切り替え表示が繰り返しなされ、
ストップ表示をクリックすると、自動的に切り替わる商品画像を任意に停止し、
上記停止状態で、表示された商品画像のうち任意の商品画像をクリックすると、商品画像の正面が表示されていた場合に表示されていなかった商品の側面、背面の画像、特徴部分が拡大された商品画像あるいは／および該商品画像が動画となって回転する画像が表示され、かつ、
上記スタート表示をクリックすると、上記各商品画像の自動的な切り替え表示が再スタートできることを特徴とする画像表示方法を提供している。
【００１２】
本発明は第２に、サーバと専用回線で接続され、該サーバーからユーザーのコンピュータへの送信でユーザのコンピュータ画面に表示される画像表示方法あるいは、ユーザに供給される記憶媒体を読み込んでユーザのコンピュータ画面に表示される画像表示方法であって、
モニターに表示される１画面を複数の画像領域に分割し、各画像領域が時間差をあけて自動的に商品画像が表示されていくと共に、全商品画像が表示されると、順次各商品画像が別の商品画像に自動的に切り替わって表示され、かつ、
ユーザが操作できるストップ表示とスタート表示を上記画面の隅部に設け、ストップ表示をクリックするまでは、上記自動的な切り替え表示が繰り返しなされ、
ストップ表示をクリックすると、自動的に切り替わる商品画像を任意に停止し、
上記停止状態で、表示された商品画像のうち任意の商品画像をクリックすると、商品画像の正面が表示されていた場合に表示されていなかった商品の側面、背面の画像、特徴部分が拡大された商品画像あるいは／および該商品画像が動画となって回転する画像が表示され、かつ、
上記スタート表示をクリックすると、上記各商品画像の自動的な切り替え表示が再スタートできることを特徴とする画像表示方法を提供している。
【００１３】
即ち、メーカーのサーバから専用回線を介して販売店等からなるユーザーのコンピュータへ画像表示信号を送信して、販売店のホームコンピュータあるいは店頭に設置している大型コンピュータで、上記した画像を表示するようにしている。あるいは、ＣＤ−ＲＯＭ等の記憶媒体をメーカーから販売店に提供し、該記憶媒体を販売店のホームコンピュータあるいは店頭に設置している大型コンピュータで再生して、上記した画像を表示するようにしている。
【００１４】
上記１画面とはコンピュータのモニターに表示されている全体の表示を含む。
この１画面が複数の画像領域に分割され、この分割された画像を１画面内で時間差をもって自動的に連続して必要回数切り替え表示している。
なお、１画面中の複数画像は、全ての画像を時間差をあけて切り替えても良いし、例えば複数画像が９個ある場合、１個づつ、あるいは２個の画像を同時に切り替える等、切り替え画像枚数をランダムとしてもよい。かつ、１画面中での画像の切り替えを必要な回数繰り返し行っている。
【００１５】
例えば、ホームページの作成者が衣類の製造販売会社である場合、トップ衣類のＴシャツ、ブラウス、ジャケット等を各アイテムを１コンテンツに分け、製造販売しているＴシャツの商品群を１つづつ静止画像等のイメージデータで分割画像に表示していき、これを順次自動的に切り替え表示していく。  
【００１６】
このように商品群を表示していくと、多数の商品をユーザーに興味を持たせて見せることができると共に、表示する画像が一巡した後に繰り返し表示していくと、ユーザは商品を比較しながらクリック操作なしで比較観察を行うことができる。
また、ユーザは所望のＴシャツが画面に表示されると、ストップ表示をクリックすると画面が停止し、時間をかけて画面を見ることができる。再度スタートする時はスタート表示をクリックすると、順次Ｔシャツが画像表示される。
このように、ユーザーの操作を不要とすることで、ユーザーは多数の商品を見ることが出来ると共に、ホームページ作成者も多数の商品を順次表示していくことができる。
【００１７】
かつ、上記自動的に画像が切り替え表示されるモニター画面から、次のモニター画面への切り替えはユーザーの操作で行うようにしている  即ち、上記のように、ユーザーがストップ表示をクリックするまで、画像の自動切り替えを繰り返し行っている。これにより、前記したように、ユーザは１つのアイテムの多数の商品を何度も繰り返し見てチェックすることができる。
別のアイテムの商品（例えば、Ｔシャツからブラウス）を見たい場合には、ハイパーテキスト等により選択肢として表示されたアイテムをクリックする。このクリックで次のアイテムの多数の商品が上記と同様に自動的に切り替えらえて表示される。
【００１８】
上記ストップ表示をクリックして画面を停止し、表示された画像のうち任意の画像をクリックすると、正面画像の場合には側面、背面等の表示されていない面および特徴部分が拡大された画像あるいは／および該商品画像が動画となって回転する画像を表示している。
画面上で表示される商品は、通常、正面側等の一面だけであるが、衣類等の場合には背面側や側面側を見たい場合が多い。よって、静止画像で側面、背面を表示しても良いし、動画として全体を表示するようにしてもよい。このような表示により、ユーザは商品全体を観察することができる。  
【００１９】
上記１画面の１部に、上記自動的に切り替わって表示される画像のうち、任意の画像をユーザーが選択して取り込み表示する領域を設けていることが好ましい。
即ち、多数の商品群から１つの商品を選択する場合、一般の商品の購入時には好ましいものを数点選択し、選択した商品を再度詳細に比較して購入している。この操作を画面上でも行えるようにし、好ましい画像を取り出して表示しておく領域を設け、この領域は分割した画像の内の１つの領域を充当して、順次自動的に画像が切り替えられていく画面の一部に同時表示しても良いし、選択取込領域の画像のみを後からのクリック操作で画面に表示してもよい。
【００２０】
また、上記選択取込表示領域は複数の画像を取り込み表示できるようにし、かつ、該選択取込表示領域をユーザーがクリックすると、該選択取込表示領域の画像が１画面全体に拡大表示され、されに、その内の任意の画像をクリックすると画像商品の詳細説明あるいは／及び購入手順の表示されるようにすることが好ましい。
【００２１】
上記１画面の画像のうち５０％〜１００％が、イメージデータからなり、かつ、１画面の自動的に切り替わっていく複数の画像は同種商品群等の１コンテンツとしている。
【００２２】
上記複数の画像より構成される１画面のうち、５０％〜１００％の画像をイメージデータとしていることが好ましい。該イメージデータは静止画データと動画データとを含む。
上記静止画データは写真をスキャナで取り込むことや、デジタル写真から簡単に得られる。また、動画データはビデオから簡単に得られる。なお、写真やビデオに限らず、コンピュータ上で作成するイラストや図形を用いてもよく、イメージデータであればよい。
このように、イメージデータを多用することで、ユーザーは文字を読む必要なく、知りたい情報を映像より簡単に得られることができる一方、ホームページ作成者側も写真やビデオを用いて、アピール度の高いホームページを簡単に作成することができる。
【００２３】
上記のように、１画面の自動的に切り替わっていく複数の画像は１コンテンツとしている。
上記分割した画像は、１画面を縦方向および横方向に分割して、１画面を碁盤目状の上記画像領域に分割していることが好ましい。
例えば、１画面を９つの画像領域に分割する場合、８個の画像を映像で表示し、残り１つの領域に他の映像の説明や、当該１画面の説明を入れるとユーザーにとって分かり易いものとなる。
【００２４】
また、画面表示時に音声を出力し、該音声をメロディーとして、メロディーのリズムと画面切替時あるいは／および画像切替時とを同調させていると、ユーザの画面の連続表示を単調化することなく、リズム感のある画面の連続表示が行え、視聴覚に訴えたアピールをすることができる。
なお、画面表示時にナレーションを出力すれば、ユーザにテキストによる説明文を読むを負荷を無くしながらも、ユーザのコンテンツの理解を深めさせることができる。
【００２５】
上記自動的に切り替える全画像データは、サーバーからインターネットを介してコンピュータにデータに一括ダウンロードした後に表示するのではなく、サーバーからデータを取り込みながら画面表示を行っている。
画像データを一括してダウンロードしてから表示すると、ダウンロード時間に空白時間が生じてしまうが、上記のようにデータをサーバーからユーザーのコンピュータの記憶装置に記憶させながら平行して表示させていくことで、待ち時間なく表示させることができる。但し、上記全画像データのデータ量が大きい時は、サーバーからホームページを表示するコンピュータまでの回線の通信速度が高速であることが望ましい。
【００２６】
上記したホームページにおける画像表示方法を用いて、ホームページに表示した商品を販売する方法とし、画面の購入表示をクリックするとホームページ提供者のサーバに接続され、該サーバに購入情報が入力される販売方法に利用できる。
例えば、上記自動的に切り替わっていく画像は商品の映像を表示する画像とし、所要の商品が表示されると上記ストップ表示をクリックして画面を停止し、ついで、所要の商品の画像を選択してクリックすると商品価格、サイズ、色、購入方法、購入の有無等の商品情報・販売の文字表示画像となり、商品購入時には更にクリックするとホームページ提供者のサーバに接続されて購入できるようにしている。
【００２７】
上記のように、多数の商品がユーザーのクリック操作無しで順次表示されていくと、ユーザーは単にモニター画面を見ているだけで多数の商品を見ることができ、特にゆっくりを時間をかけて見たい画面は停止してゆっくりと見ることができ、かつ、特定の画像の商品情報を詳しく知りたい場合には、この商品をクリックすると情報を得ることができる。さらに、商品を購入したい場合には、画面上でクリックし、必要な情報を書き込むことで、商品を簡単に購入することができる。
【００２８】
また、上記ホームページ提供者のサーバは、各商品が表示されている画像のクリック件数を求め、該クリック件数より表示商品の注目度がサーバの演算装置で演算される。このように、ホームページ作成者にとっても、順次切り替え表示している商品のうち、商品情報を知りたいユーザーからのアクセス回数により人気商品（売れ筋商品）の把握が迅速かつ的確に行える利点がある。
【発明の効果】
【００２９】
以上の説明より明らかなように、本発明に係わる画像表示方法によれば、ユーザーの操作無しで、１画面中に分割して表示する画像を自動的に時間差をもって表示する構成としているため、ユーザーは操作の手数をかけずに情報を得ることができる。かつ、ホームページ作成者およびサーバ側もユーザーに情報を積極的に見せることができる。
特に、イメージデータを多用することで、多くの情報をユーザー側に労力をかけることなく伝えることができ、ユーザー側およびホームページ作成者側のいずれにとってもメリットがある。
【００３０】
また、１画面に表示していく分割した画像は、写真をスキャナしてイメージデータとしたもの、あるいはデジタル写真画像をイメージデータとしたものを多用すると、ビジュアル度が高く、ユーザーに対するアピール度の高いホームページを手数をかけずに簡単に作成することができる。また、ユーザーにとっても文字表示が少なく写真等の映像が多い画面となるため、簡単に情報を得ることができる。
しかも、画面表示と同時にＢＧＭを流す共に、画像を自動的に切り替え、かつ、１画面の画像を自動的に時間差をあけて表示されるため、多少長いホームページであっても、該ホームページの全画面をユーザーは楽しみながら見ることができる。
【００３１】
特に、近時、光ファイバーによりインターネットを介して高速通信が可能となっているため、データ量が多い映像データや動画データを含むホームページも短時間でユーザーのコンピュータに送信できる。かつ、一括ダウンロードした後に画面表示するのでは無く、コンピュータにデータを取り込みながらパラレルに画面表示する方法を用いることで、イメージデータを多く含むホームページをスムーズにモニタ表示することができる。
【発明を実施するための最良の形態】
【００３２】
以下、本発明の実施形態を図面を参照して説明する。
図１乃至図３は第１実施形態を示す。
図１はホームページの表示画面を示し、（Ａ）は１モニタ画面Ａ上で分割された複数の画像を自動的に順次切り替えて表示しており、（Ｂ）は別の１モニタ画面Ｂ上で同様に分割された複数の画像を自動的に順次切り替えて表示している。
【００３３】
上記１画面Ａ、Ｂはそれぞれ、図示のように、１つのモニタ画面全体を縦横に３等分して９個の画像領域Ｓを碁盤目状に設けている。
これら画像領域Ｓに、画面Ａでは時間差をあけて９個の画像Ａ１〜Ａ９を順次自動表示し、Ａ９の表示が終わると時間差をあけて最初に戻ってＡ１の画像をＡ１０の画像に自動的に切り替え、Ａ２をＡ１１…Ａ９をＡ１８に切り替え、さらに、最初に戻ってＡ１０をＡ１９に…Ａ１８をＡ２７へと順次切り替えている。  即ち、２７の画像を１つのモニタ画面でユーザーのクリック操作なしで連続的に表示している。
【００３４】
上記各分割領域の画像Ａ１〜Ａ２７の表示は上段の左の画像から右の画像へ、中段の左から右、下段の左から右へと順次所要時間間隔をあけて自動的に切り替え表示している。なお、ランダムな順位で切り替えてもよいし、２個等の複数の画像を同時に切り替えてもよい。
なお、上記１画面上で９分割した領域に３回別の画像が表示されるが、４回以上別の画像を表示していっても良いことは言うまでもない。
【００３５】
上記２７個の画像は、具体的には、ホームページ作成者が製造販売するＴシャツを１個づつ静止したイメージデータ（Ｔシャツの写真をスキャナで取り込んでイメージデータ）で表示したものである。
画面Ｂは別のアイテムのブラウスを表示しており、画面Ａと同様に２８種類のブラウスを自動的に切り替えながら表示している。
【００３６】
モニター画面の下端にはストップ表示Ｍ１、スタート表示Ｍ２を設けると共に、各画面の選択肢のアイテム（コンテンツ）の表示Ｍ３〜Ｍｎを設けている。
上記ストップ表示Ｍ１をクリックすると自動的な画像の切り替えが停止してモニタ画面が静止し、この状態でスタート表示Ｍ２をクリックすると、停止していた状態から画像が再度自動的に切り替わて表示されるようにしている。また、ストップ表示Ｍ１をクリックしない限りは、繰り返し表示、即ち、Ａ１→Ａ２７の表示が終了すると、再度Ａ１８がＡ１に切り替わて、繰り返されるようにしている。
また、別の画面にスキップしたい場合には、ストップ表示Ｍ１をクリックした後にアイテムの表示Ｍ３〜Ｍｎを選択してクリックすると、当該アイテムの画面、例えば、画面ＡからＢに切り替えられるようにしている。
【００３７】
上記画面Ａのうち、画像Ａ１を選択してクリックすると、図２に示すように、画像Ａ１の商品の詳細画面Ｃに変わる。詳細画面Ｃでは、画像Ａ１のＴシャツ１０の表面画像１０ａ、側面画像１０ｂ、背面画像１０ｃ、特徴部分の拡大画像１０ｄ、モデルの着用した動画の画像１０ｅ、商品価格、材質、洗濯方法等の説明のテキスト文字画像１０ｆからなる商品説明画像が表示される。
上記詳細画面Ｃを見て、Ｔシャツ１０の購入する場合、さらにクリックすると購入手順画面となり、所要の事項をユーザが書き込んでクリックすると、図４に示すように、ホームページ提供者のサーバ１００に入力される。
【００３８】
上記１つの画面上で順次画像を自動表示していく時に、同時にＢＧＭとして音楽を出力し、該音楽のリズムと画像表示とを同調させている。言い換えれば、音楽のリズム転換に合わせて画像が順次表示されるように時間設定を行っている。
【００３９】
また、上記ホームペ−ジは、１画面の多数の画像の表示は、画面データをサーバーからインターネットを介してコンピュータに一括ダウンロードした後に表示する方法を採用せずに、サーバーからユーザーのコンピュータの記憶装置にデータを取り込みながら画面表示をパラレルに行っている。  
【００４０】
また、上記サーパ１００は、ユーザがクリックして選択した画像Ａ１〜Ａ２７，Ｂ１〜Ｂ２７の情報が求め、選択した画像の件数をサーパ１００の演算装置で演算して、選択件数に応じて、商品の注目度（人気度）を判断している。
【００４１】
図４および図５は第２実施形態を示す。
第２実施形態では、上記９分割した画像領域の１つを選択取込領域２０とし、図４に示すように、選択取込領域２０を更に４分割した小分割領域Ｘ１〜Ｘ４に分割している。この選択取込領域２０には、自動的に表示されていく画像の内から任意の画像を選択して選択取込領域２０に表示させるようにしている。例えば、選択された４つの画像Ａ１、Ａ４、Ａ１０、Ａ１６を取り込んで表示している。
選択取込領域２０の小分割領域Ｘ１〜Ｘ４が埋められた後も、他の選択される画像があると、上書きして先に取り込んだ画像に変えて表示できるようにしている。
【００４２】
即ち、表示される画像がＴシャツの場合、好みの数点のＴシャツを選択取込領域２０に表示しておき、この表示されたＴシャツを比較しな見ながら、他のＴシャツを選択していくことができ、購入するＴシャツの絞り込みを画面上でクリック操作しながら行うことができる。
【００４３】
選択取込領域２０に画像を取り込んで、商品の絞り込みがなされた後に、該選択取込領域２０をクリックすると、図５に示すように、画面全体が選択取込領域２０のみが１つの画面に表示される拡大画面となる。
この中から任意の画像をクリックすると、第１実施形態と同様に、詳細画面Ｃが表示され、その後、クリック操作で購入手順画面が表示される。
【００４４】
図６は第３実施形態の概略図であって、メーカーのサーバ１００から専用回線１１０を介して販売店２００のホームコンピュータ１２０に画像表示信号を送信している。販売店のホームコンピュータ１２０をその店頭に設置している大型コンピュータ１２１に接続し、該大型コンピュータ１２１で表示して来客が見れるようにしている。なお、サーバ１００と大型コンピュータ１２１とを直接接続しても良いことは言うまでもない。また、販売店が大型コンピュータ１２１を店頭設置していない場合には販売店のホームコンピュータ１２１が設置されていない場合には、販売店のホームコンピュータ１２０にのみ接続している。
【００４５】
上記のように、販売店の店頭設置の大型コンピュータ１２１で商品紹介をした場合には、来客への販売促進効果を高めることができる。また、サーバを所持するメーカから販売店への商品販売の促進効果も高めることができる。
【００４６】
図７は第４実施形態の概略図であって、メーカから上記画像表示方法のプログラムを記憶させたＣＤ−ＲＯＭ１３０に販売店２００に提供し、販売店２００にて、そのホームコンピュータ１２０あるいは／および店頭設置の大型コンピュータ１２１でＣＤ−ＲＯＭ１３０を再生して画面表示させている。
このように、通信回線を使用せずにＣＤ−ＲＯＭ等の記憶媒体の提供によってもユーザーのコンピュータ画面で表示を行わせることができる。
【図面の簡単な説明】
【００４７】
【図１】（Ａ）（Ｂ）は本発明のホームページの第１実施形態の画面を示す概略図である。
【図２】選択した詳細画面を示す図面である。
【図３】ホームページ提供者のサーパとユーザのパソコンとの接続関係を示す概略図である。
【図４】第２実施形態の画面を示す概略図である。
【図５】第２実施形態の拡大画面を示す概略図である。
【図６】第３実施形態の概略図である。
【図７】第４実施形態の概略図である。
【符号の説明】
【００４８】
Ａ，Ｂ  １画面  
Ａ１〜Ａ２７、Ｂ１〜Ｂ２７  １画面に表示される画像
Ｃ  詳細画面
２０  選択取込領域
１００  サーバ
【図１】
2008210395.tif 000003
【図２】
2008210395.tif 000004
【図３】
2008210395.tif 000005
【図４】
2008210395.tif 000006
【図５】
2008210395.tif 000007
【図６】
2008210395.tif 000008
【図７】
2008210395.tif 000009